(57)【要約】【課題】従来の手を使わずに口にくわえただけの状態で演奏する吹奏楽器は、口の中に形成する共鳴空間の形状により音の高低を制御するする構造のため、自由に演奏できるようになるには、口の中に音の高低に応じた形状の共鳴空間を形成するための高度の熟練を要した。【解決手段】手を使わずに口にくわえただけの状態で演奏する吹奏楽器において、その呼気の流路に呼気の強さに応じた振幅で振動するリードを設け、そのリードが摺動板に取り付けられており、本体を口にくわえる力に応じて摺動溝に沿って摺動して振動部分の長さを変えることにより、リードの固有振動数を変え、音の周波数を制御する構造とした。これにより、呼気の強さと口にくわえる力で、熟練を要さず口笛の様に演奏することができる。【選択図】図１
2010250247.tif 000002
【特許請求の範囲】
【請求項１】
呼気の強さに応じて振動するリード（１）が摺動板（２）に取り付けられており、本体を口にくわえて演奏するとき、上あごと下あごで上下方向に加える力の強さに応じて、前記リードの表裏面の一部が摺動溝（５ａ，５ｂ）に圧接した状態で、前記摺動溝に沿って摺動して、前記摺動溝に圧接していない振動部分の長さＬを変える構造とした吹奏楽器。
【請求項２】
前記リードを取り付けた前記摺動板が上下動部品（４ａ）に取り付けられ、垂直方向の摺動溝（５ａ）が垂直溝部品（６ａ）に設けられて、前記上下動部品と前記垂直溝部品の間に垂直方向の弾性をもつばね（８ａ）が設けられている請求項１記載の吹奏楽器。
【請求項３】
水平動部品（４ｂ）と水平溝部品（６ｂ）とが、水平方向の弾性をもつ円弧状の板ばね（８ｂ）の両端部に取り付けられ、前記水平動部品には摺動板（２）が取り付けられ、前記摺動板は、前記水平溝部品に設けられた摺動溝（５ｂ）に沿って水平に摺動する構造となっている請求項１記載の吹奏楽器。
【発明の詳細な説明】
【技術分野】
【０００１】  本発明は、口笛と同様の要領で演奏できる吹奏楽器に関する。
【背景技術】
【０００２】  従来の口笛と同様の要領で、手を使わずに演奏することを目的とした吹奏楽器には、断面がＶ字またはＵ字状の本体を口にくわえ、口の中に共鳴空間を作って演奏するものがある。（例えば、非特許文献１参照）【０００３】  以下図１０により従来の吹奏楽器について説明する。図において、Ｖ字の断面をもつ本体２１の上板と下板に貫通穴に貫通穴を設け、演奏するときに口にくわえ、貫通穴の下部に共鳴空間２２を形成し、演奏する構造となっている。
【先行技術文献】
【０００４】
【非特許文献１】実用新案登録第３０８８２４３号
【発明の概要】
【発明が解決しようとする課題】
【０００５】  以上に述べた従来の吹奏楽器では、Ｖ字の断面断面をもつ本体２１の上下の貫通穴を覆うように口に含み、本体下部の口の中に共鳴空間２２を形成して演奏する構造で、呼気の強弱と共鳴空間２２の形状とにより音の高低、音色、大小が決められる為、演奏できるようになるまでには、高度な技術の習得を必要とした。【０００６】  また、口の形状には個人差があるため、形成される共鳴空間２２の形状に個人差があり、発せられる音も個人差があった。
本発明は、このような従来の吹奏楽器が有していた問題を解決しようとするものであり、演奏のための高度な技術を必要とせず、個人差の無い音の得られる吹奏楽器を実現することを目的とするものである。
【課題を解決するための手段】
【０００７】  上記目的を達成するために、本発明の第１の課題解決手段は、呼気の強さに応じて振動するリードが摺動板に取り付けられており、本体を口にくわえて演奏するとき、上あごと下あごで上下方向に加える力の強さに応じて、前記リードの表裏面の一部が摺動溝に圧接した状態で前記摺動溝に沿って摺動して、前記摺動溝に圧接していない前記リードの振動部分の長さＬを変える構造とした吹奏楽器である。（請求項１）【０００８】  また、第２の課題解決手段は、リードを取り付けた摺動板が上下動部品に取り付けられ、垂直溝部品に摺動溝が上下方向に設けられ、前記上下動部品と前記垂直溝部品の間に上下方向の弾性をもつばねが設けられており、前記リードは、本体をくわえる上下方向の力に応じ前記摺動溝に沿って上下に摺動する構造としたものである。（請求項２）【０００９】  また、第３の課題解決手段は、水平動部品と水平溝部品とが、水平方向の弾性をもつ円弧状の板ばねの両端部に取り付けられ、水平動部品には摺動板が取り付けられ、摺動板は、前記水平溝部品に設けられた摺動溝に沿って水平に摺動する構造としたものである。（請求項３）
【発明の効果】
【００１０】  上記第１の課題解決手段による作用は次のとおりである。すなわち、本体を口にくわえて吹くとき、リードと摺動板の隙間から吐出される呼気の圧力に応じた振幅でリードが振動し、音が発生する。このとき、本体を上下方向に強くくわえると前記リードの振動部分が短くなるため発生する音の周波数は高くなり、弱くくわえると前記リードの振動部分が長くなるため発生する音の周波数は低くなるので、くわえる強さで発生する音の周波数を制御することができる。【００１１】  また、第２の課題解決手段による作用は、前記リードを取り付けた前記摺動板が上下動部品に垂直に取り付けられ、上下方向の前記摺動溝を摺動するので、本体の上下方向の変位量と前記リードの振動部分の長さの変化が一致し、周波数を容易に制御することができる。【００１２】  また、第３の課題解決手段による作用は、前記リードが取り付けた前記摺動板が水平動部品に水平に取り付けられ、水平方向の前記摺動溝を摺動するので、本体の上下寸法を小さくすることができ、本体を口にくわえることが容易となる。【００１３】  すなわち、本体を手を使わずに口にくわえた状態で演奏するときに、呼気の強さで音の大小を制御でき、口にくわえる強さで音の高低を制御できるため、容易に演奏することができるものである。
【発明を実施するための最良の形態】
【００１４】  以下、本発明の実施の形態として第１の実施例及び第２の実施例を図１〜図９に基づいて説明する。
【実施例１】
【００１５】  図１，図２において、上下動部品４ａと垂直溝部品６ａとは、垂直方向の弾性をもつコイルばね８ａの上端部と下端部に取り付けられ、周囲が柔軟なカバー７ａで覆われている。【００１６】  上下動部品４ａには摺動板２が取り付けられ、摺動板２は、垂直溝部品６ａに設けられた摺動溝５ａに沿って垂直に摺動する構造となっている。【００１７】  図３は、摺動板２の詳細図であり、摺動板２は、内部の一部が切り欠かれ、そこにリード１が取り付けられている。【００１８】  リード１は一端が摺動板２に取り付けられて、他端の周囲は摺動板２との間に隙間３が作られている。【００１９】  以下、上記構成の動作を説明する。図４は、加圧前と加圧状態の動作を示す図であり、前記リードは、本体のカバー７ａ表面に加える上下方向の力の強さに応じて、表裏面の一部が摺動溝５ａに圧接した状態で、前記摺動溝に沿って上下に摺動することにより、前記摺動溝に圧接していない振動部分の長さＬを変え、固有振動数を変えることができる。【００２０】  図５は、同上の演奏中の状態を示す図であり、カバー７ａを口にくわえ、上下の歯９で上下方向１０に加圧することにより周波数を制御し、呼気１１の強さで音の強弱を制御して演奏することができる。
【実施例２】
【００２１】  図６，図７において、水平動部品４ｂと水平溝部品６ｂとは、水平方向の弾性をもつ円弧状の板ばね８ｂの端部に取り付けられ、周囲が柔軟なカバー７ｂで覆われている。【００２２】  前記水平動部品には摺動板２が取り付けられ、前記摺動板は、水平溝部品に設けられた摺動溝５ｂに沿って水平に摺動する構造となっている。【００２３】  以下、上記構成の動作を説明する。図８は、動作を示す図であり、前記リードは、カバー７ｂ表面に加える上下方向の力の強さに応じて、表裏面の一部が摺動溝５ｂに圧接した状態で、前記摺動溝に沿って水平に摺動することにより、前記摺動溝に圧接していない振動部分の長さＬを変え、固有振動数を変えることができる。【００２４】  図９は、同上の演奏中の状態を示す図であり、カバーを口にくわえ、上下の歯９で上下方向１０に加圧することにより周波数を制御し、呼気１１の強さで音の強弱を制御して演奏することができる。
【図面の簡単な説明】
【００２５】
【図１】本発明に係る第１の実施の形態を示す断面図である
【図２】同上の左側面図である
【図３】摺動板の詳細図である
【図４】第１の実施の形態の動作を示す図である
【図５】同上の演奏中の状態を示す図である
【図６】本発明に係る第２の実施の形態を示す断面図である
【図７】同上の平面図である
【図８】同上の動作を示す図である
【図９】同上の演奏中の状態を示す図である
【図１０】従来の吹奏楽器である
【符号の説明】
【００２６】１    リード
２    摺動板
３    隙間
４ａ  上下動部品
４ｂ  水平動部品
５ａ  垂直方向の摺動溝
５ｂ  水平方向の摺動溝
６ａ  垂直溝部品
６ｂ  水平溝部品
７ａ，７ｂ  カバー
８ａ  ばね
８ｂ  板ばね
９    歯
１０  口でくわえる力の方向
１１  呼気
２１  従来の吹奏楽器の本体
２２  共鳴空間
Ｌ    リードの振動部分の長さ
【図１】
2010250247.tif 000003
【図２】
2010250247.tif 000004
【図３】
2010250247.tif 000005
【図４】
2010250247.tif 000006
【図５】
2010250247.tif 000007
【図６】
2010250247.tif 000008
【図７】
2010250247.tif 000009
【図８】
2010250247.tif 000010
【図９】
2010250247.tif 000011
【図１０】
2010250247.tif 000012